【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
少なくとも一層が、式（Ｉ）：
【化１】
2009501326.tif 000001
（Ｉ）
（式中、Ｒ１とＲ２は、独立的にＣ１−Ｃ１２アルキル基を表すか、任意選択でＣ１−Ｃ１２アルキル、Ｃ２−Ｃ１２アルケン、ビニレン、ベンジル、フェニル、ハロゲン基によって置換された、または任意選択でＣ１−Ｃ１２アルキル基で置換されたエステル、アミノ、アミドもしくはエーテル官能基によって置換されたＣ１−Ｃ１２１，ｎ−アルキレン基（ｎ＝１〜１２）を形成する）を有する繰り返し構造を含有するポリチオフェンの層で全面的あるいは部分的に被覆された少なくとも二層のフレキシブル基材と、
一個または複数個の絶縁スペーサと、
を有することを特徴とする大表面分布型圧力センサ。
【請求項２】
請求項１に記載の大表面分布型圧力センサにおいて、前記ポリチオフェンのＲ１とＲ２が、メチレン、１，２−エチレンおよび１，３−プロピレンから選択されるアルキレン基を形成することを特徴とする大表面分布型圧力センサ。
【請求項３】
請求項２に記載の大表面分布型圧力センサにおいて、前記ポリチオフェンのＲ１とＲ２が、１，２−エチレン基を形成することを特徴とする大表面分布型圧力センサ。
【請求項４】
請求項１に記載の大表面分布型圧力センサにおいて、前記フレキシブル基材が、フレキシブルプラスチック製シートであることを特徴とする大表面分布型圧力センサ。
【請求項５】
請求項４に記載の大表面分布型圧力センサにおいて、前記フレキシブルプラスチック製シートが、高融点または高ガラス転移温度を有するポリマから製造されることを特徴とする大表面分布型圧力センサ。
【請求項６】
請求項４に記載の大表面分布型圧力センサにおいて、前記フレキシブルプラスチック製シートが、可塑剤添加ＰＶＣ、熱可塑性ゴム、繊維またはポリマ織布から製造されることを特徴とする大表面分布型圧力センサ。
【請求項７】
請求項１に記載の大表面分布型圧力センサにおいて、前記フレキシブル基材が、非プラスチック製材料のシートであることを特徴とする大表面分布型圧力センサ。
【請求項８】
請求項７に記載の大表面分布型圧力センサにおいて、前記フレキシブル基材が、セルロース誘導体材料のシートであることを特徴とする大表面分布型圧力センサ。
【請求項９】
請求項８に記載の大表面分布型圧力センサにおいて、前記フレキシブル基材が、セルロースペーパのシートであることを特徴とする大表面分布型圧力センサ。
【請求項１０】
請求項７に記載の大表面分布型圧力センサにおいて、前記フレキシブル基材が、織物材料のシートであることを特徴とする大表面分布型圧力センサ。
【請求項１１】
請求項７に記載の大表面分布型圧力センサにおいて、前記フレキシブル基材が、フレキシブルガラスのシートであることを特徴とする大表面分布型圧力センサ。
【請求項１２】
請求項１に記載の大表面分布型圧力センサにおいて、前記絶縁スペーサが、シリコーン、発泡ポリマ、またはエポキシ樹脂であることを特徴とする大表面分布型圧力センサ。
【請求項１３】
請求項１に記載の大表面分布型圧力センサにおいて、前記ポリチオフェンが、アニオン系ドーパントを含むことを特徴とする大表面分布型圧力センサ。
【請求項１４】
請求項１３に記載の大表面分布型圧力センサにおいて、前記アニオン系ドーパントが、無機アニオンであることを特徴とする大表面分布型圧力センサ。
【請求項１５】
請求項１３に記載の大表面分布型圧力センサにおいて、前記アニオン系ドーパントが、スルホネートまたはホスフェート基を有する有機アニオンであることを特徴とする大表面分布型圧力センサ。
【請求項１６】
請求項１３に記載の大表面分布型圧力センサにおいて、前記アニオン系ドーパントが、ポリマ系カルボン酸；ポリマ系スルホン酸；またはビニルカルボン酸およびビニルスルホン酸と他の重合可能のモノマとのコーポリマから選択される有機ポリアニオンであることを特徴とする大表面分布型圧力センサ。
【請求項１７】
請求項１６に記載の大表面分布型圧力センサにおいて、前記使用ポリアニオンが、１５，０００〜３００，０００ダルトンの分子量を有することを特徴とする大表面分布型圧力センサ。
【請求項１８】
請求項１に記載の大表面分布型圧力センサが、ポリチオフェン導電性トラックが堆積された二枚の同一のフレキシブルシートで形成され、両シートの間に垂直に配置された絶縁スペーサで規則的に分離された対称構造を有することを特徴とする大表面分布型圧力センサ。
【請求項１９】
請求項１に記載の大表面分布型圧力センサが、ポリチオフェン導電性トラックが堆積され、絶縁スペーサで規則的に分離された一枚のフレキシブルシートと、他の導電性材料のトラックが堆積された非導電性フレキシブルシートとで形成された単一構造を有することを特徴とする大表面分布型圧力センサ。
【請求項２０】
請求項１に記載の大表面分布型圧力センサが、ポリチオフェンの均一導電性層が堆積されたフレキシブルシートと、導電性材料のトラックが堆積された非導電性のフレキシブルシートと、ポリチオフェンの導電性材料の上に堆積された絶縁スペーサとから形成される三層構造を有することを特徴とする大表面分布型圧力センサ。
【請求項２１】
請求項１に記載の大表面分布型圧力センサが、ポリチオフェンの均一導電性層が堆積されたフレキシブルシートと、導電性材料のトラックが堆積された非導電性のフレキシブルシートと、導電性材料のトラックを有する非導電性シートの上に堆積された絶縁スペーサとから形成される三層構造を有することを特徴とする大表面分布型圧力センサ。
【請求項２２】
請求項１〜２１に記載の大表面分布型圧力センサを作製する方法であって、ポリチオフェンが、対応するチオフェンモノマの酸化重合によって、水溶液と溶媒ベースとを問わず、真溶液、コロイド状分散物、または微粒子の安定分散物からフィルムとして前記フレキシブル基材の上に堆積されることを特徴とする大表面分布型圧力センサ作製方法。
【請求項２３】
請求項２２に記載の方法が、ポリ（ビニルアルコール）またはポリ（ビニルアセテート）のタイプのポリマ系バインダおよびシラン類または粘着性付与樹脂のタイプの接着促進剤を使用し、前記フレキシブル基材に高度に接着性のフィルムを容易に形成することを特徴とする方法。
【請求項２４】
請求項１〜２１に記載の大表面分布型圧力センサを作製する方法であって、前記ポリチオフェンが、前記フレキシブル基材の上へのその場（in situ）酸化重合法によって、水溶液と溶媒ベースとを問わず、真溶液、コロイド状分散物、または微粒子の安定分散物からフィルムとして前記フレキシブル基材の上に堆積されることを特徴とする大表面分布型圧力センサ作製方法。
【請求項２５】
請求項２２〜２４に記載の大表面分布型圧力センサを作製する方法において、前記ポリチオフェン溶液または分散物が、塗布、浸漬、噴霧、スピンコーティング技法などによって前記フレキシブル基材上に成膜され、後で溶媒を直接蒸発させることを特徴とする大表面分布型圧力センサ作製方法。
【請求項２６】
請求項１〜２１に記載の大表面分布型圧力センサを作製する方法であって、前記ポリチオフェンが、導電性ポリマのリソグラフィ、選択的堆積の従来の方法を使用してトラックとして、インクジェット印刷によって、または機械的方法でフレキシブルシートから導電性材料を剥離することによってトラックとして、前記フレキシブル基材上に堆積されることを特徴とする大表面分布型圧力センサ作製方法。
【請求項２７】
請求項２６に記載の方法において、前記導電性トラックが、ｎ個のセンサに対応して２ｎ個の電極を形成することを特徴とする方法。
【請求項２８】
請求項４に記載の大表面分布型圧力センサにおいて、前記フレキシブルプラスチック製シートが、ポリエチレンテレフタレートまたはポリカーボネートから製造されることを特徴とする大表面分布型圧力センサ。
【請求項２９】
請求項１３に記載の大表面分布型圧力センサにおいて、前記アニオン系ドーパントが、硫酸塩、塩化物、または臭化物アニオンであることを特徴とする大表面分布型圧力センサ。
【請求項３０】
請求項１３に記載の大表面分布型圧力センサにおいて、前記アニオン系ドーパントが、ｐ−トルエンスルホン酸またはｐ−トルエンホスホン酸であることを特徴とする大表面分布型圧力センサ。
【請求項３１】
請求項１３に記載の大表面分布型圧力センサにおいて、前記アニオン系ドーパントが、、ポリ（アクリル酸）、ポリ（メタクリル酸）、またはポリ（マレイン酸）；ポリ（スチレンスルホン）酸またはポリ（ビニルスルホン）酸；またはビニルカルボン酸およびビニルスルホン酸とスチレンおよびアクリルまたはメタクリルモノマとのコーポリマから選択される有機ポリアニオンであることを特徴とする大表面分布型圧力センサ。
【請求項３２】
請求項２６に記載の大表面分布型圧力センサを作製する方法であって、前記機械的方法が研削であることを特徴とする大表面分布型圧力センサ作製方法。